(57)【要約】【課題】容器本体にキャップを取り付けたドレッシング等の容器において、内容液がキャップの外壁や容器本体の外壁に液だれすることを確実に防止する。【解決手段】容器本体３０の口部３１に取り付けられるキャップ本体２０と、キャップ本体２０に螺合装着される上蓋１０Ａとを備えるキャップ１Ａにおいて、キャップ本体２０の上面に注出筒２１を突設し、上蓋１０Ａには、その天面内側に、上蓋１０Ａをキャップ本体２０に装着した状態で注出筒２１の上端部内壁に圧接される環状筒１１と、環状筒１１に囲まれた領域に形成された半球状又は錐形状の突出部１２と、環状筒１１と突出部１２との間において環状筒１１の基部と突出部１２の基部とを繋ぐ放射状リブ１３とを設ける。【選択図】図１
2007145353.tif 000002
【特許請求の範囲】
【請求項１】
容器本体の口部に取り付けられるキャップ本体と、キャップ本体に螺合装着される上蓋とを備えるキャップであって、
キャップ本体は、上面に突設された注出筒を有し、
上蓋は、その天面内側に、上蓋をキャップ本体に装着した状態で注出筒の上端部内壁に圧接される環状筒と、環状筒に囲まれた領域に半球状又は錐形状の突出部と、環状筒と突出部との間で環状筒の基部と突出部の基部とを繋ぐ放射状リブとを有するキャップ。
【請求項２】
前記突出部の頂部に液だれ誘導突起が形成されている請求項１記載のキャップ。
【請求項３】
上蓋をキャップ本体に装着した状態で、液だれ誘導突起がキャップ本体の開口部の縁辺に接する請求項２記載のキャップ。
【請求項４】
前記突出部は環状筒と間隔を置いて形成されている請求項１〜３のいずれかに記載のキャップ。
【発明の詳細な説明】
【技術分野】
【０００１】
本発明は、ボトル状の容器本体の口部に装着されるキャップに関する。
【背景技術】
【０００２】
ドレッシング、ソース、タレ、食用油等の液状物を収容する容器として、ボトル状の容器本体に、中栓を備えたキャップを装着したものが使用されている。
【０００３】
このような容器では、内容液の使用前に容器を十分に振とうし、内容液を略均一な分散状態にすることがなされる。そのため、振とう後にキャップを開けると、キャップの天面内側に付着した内容液がキャップの外壁に液だれしたり、再度キャップを閉めたときに、キャップに付着していた内容液が容器本体の外壁に液だれするという問題が生じやすい。
【０００４】
これに対しては、容器本体の口部に直接取り付けられて中栓となるキャップ本体と、キャップ本体にヒンジ結合され、キャップ本体の開口部を開閉する蓋体とからなるキャップであって、キャップ本体に注出筒を突設させ、蓋体の天面内側に、注出筒に嵌合する嵌合筒と山形等に形成した多数のリブを設けたものが提案されている（特許文献１）。
【０００５】
【特許文献１】特開平９−１２０４９号公報
【発明の開示】
【発明が解決しようとする課題】
【０００６】
しかしながら、上述のキャップは、蓋体の天面内側に形成された多数のリブ間に多量の内容液を保持できるため、容器を振とうすると、蓋体の天面内側に付着する内容液が不要に多くなるという問題があった。
【０００７】
これに対し、本発明は、キャップを取り付けた容器において、容器の振とう後に蓋体自体に付着する内容液の液量を極力低減させ、かつ振とう後キャップを開ける際には、蓋体に付着している内容液が蓋体に保持されるようにし、これによりキャップを開けたときのキャップ外壁への内容液の液だれや、キャップを再度閉じたときの容器本体の外壁への液だれを確実に防止することを目的とする。
【課題を解決するための手段】
【０００８】
上述の目的を達成するため、本発明は、容器本体の口部に取り付けられるキャップ本体と、キャップ本体に螺合装着される上蓋とを備えるキャップであって、
キャップ本体は、上面に突設された注出筒を有し、
上蓋は、その天面内側に、上蓋をキャップ本体に装着した状態で注出筒の上端部内壁に圧接される環状筒と、環状筒に囲まれた領域に形成された半球状又は錐形状の突出部と、環状筒と突出部との間で環状筒の基部と突出部の基部とを繋ぐ放射状リブとを有するキャップを提供する。
【発明の効果】
【０００９】
本発明のキャップによれば、上蓋の天面内側の環状筒に囲まれた領域に突出部が形成されているので、このキャップを容器本体に取り付け、容器を正立させると、上蓋の天面内側の突出部は容器本体側に垂下する。また、この突出部は、半球状又は錐形状に形成され、表面にリブはなく滑らかである。したがって、内容液を収容した容器本体にこのキャップを取り付け、キャップを閉じて容器を十分に振とうすることにより、キャップの上蓋の突出部に内容液が付着しても、容器を正立させることにより、突出部に付着した内容液は、突出部の表面をつたい、下方に流れて速やかに容器本体内に戻る。したがって、振とう後キャップを開ける際に、上蓋に付着している内容液の液量を極力低減させることができる。
【００１０】
また、上蓋の環状筒と突出部との間には、環状筒の基部と突出部の基部とを繋ぐ放射状リブが形成されているので、キャップを開ける際に、上蓋に僅かに付着している内容液は、放射状リブの間に保持される。したがって、容器本体を振とう後にキャップを開けたときのキャップ外壁への液だれを防止することができる。
【００１１】
さらに、再度キャップを閉じると、放射状リブによって保持されていた内容液は、突出部の表面を伝い、下方に流れて容器本体内に戻る。したがって、キャップを閉じたときの容器外壁への液だれも防止することができる。
【発明を実施するための最良の形態】
【００１２】
以下、図面を参照しつつ、本発明を詳細に説明する。なお、各図中、同一符号は同一又は同等の構成要素を表している。
【００１３】
図２は、本発明の一実施例のキャップ１Ａを容器本体３０に取り付けた状態の断面図、図１（ａ）は、そのキャップ１Ａの上蓋１０Ａの部分切欠斜視図、同図（ｂ）は上蓋１０Ａを容器本体側から見た底面図である。
【００１４】
このキャップ１Ａは、ドレッシング、ソース、タレ、食用油等の液状物を収容するボトル状の容器本体３０の口部３１に取り付けられるもので、キャップ本体２０と、キャップ本体２０に螺合装着される上蓋１０Ａとからなる。
【００１５】
キャップ本体２０は、ポリエチレン等の樹脂で形成され、容器本体３０の口部３１に液密に冠着する。キャップ本体２０の上面には、注出筒２１が突設され、注出筒２１で囲まれた領域に開口部２２が形成されている。注出筒２１は、先端部の開口径が広がったラッパ形状をしており、その外壁には、上蓋１０Ａと螺合する雄ネジ凸条２３が形成されている。
【００１６】
上蓋１０Ａは、ポリプロピレン、ポリエチレン等の樹脂で形成され、その天面内側に環状筒１１を有している。この環状筒１１は、上蓋１０Ａをキャップ本体２０に螺合装着した状態で、インナーリングとして注出筒２１の上端部内壁に液密に圧接される。環状筒１１はインナーリングとして注出筒２１の上端部内壁に液密に圧接されるものであれば、断面形状や材質を問わず、例えば、上蓋内壁に取着した弾性部材から形成しても良いし、上蓋１０Ａと一体に形成された断面が概ね三角形状の突部としても良い。環状筒１１に囲まれた領域には、表面にリブが形成されていない滑らかな半球状の突出部１２が環状筒１１と間隔をおいて形成されている。この突出部１２は、上蓋１０Ａをキャップ本体２０に装着した状態で、注出筒２１で囲まれた領域の内側に垂下する。
【００１７】
環状筒１１と突出部１２との間には、環状筒１１の基部と突出部１２の基部とを繋ぐ放射状リブ１３が形成されている。液保持性の点から、放射状リブ１３を構成する個々のリブ１３ａの高さは１．０〜３．０ｍｍ、リブ１３ａの幅Ｌ1 は１．０〜１．５ｍｍ、リブ１３ａ間の最大距離Ｌ2 は５．０〜１０ｍｍとすることが好ましい。また、放射状リブ１３の形成領域と突出部１２の形成領域との割合は、放射状リブ１３の形成領域が過度に広いと、容器本体３０を振とう後、放射状リブ１３の形成領域に保持される内容液の液量が増え、上蓋１０Ａに不要に多くの内容液が保持されることとなり、反対に狭すぎると、放射状リブ１３の形成領域に保持される内容液の液量が低減し、上蓋１０Ａをキャップ本体２０から外したときに、上蓋１０Ａの天面内側に付着していた内容液を放射状リブ１３で保持することが困難となる。そのため、放射状リブ１３の長さＬ3 と突出部１２の底面の半径Ｌ4 との比率を１．０：５．０〜１．０：１．５とすることが好ましい。
【００１８】
なお、本実施形態では、環状筒の基部と突出部の基部との間に水平面を設けて環状筒と突出部に間隔を持たせているが、水平面をなくして突出部の斜面が環状筒の基端に直接連なるようにすることもできる。その場合各リブは三角板状となる。
【００１９】
環状筒１１、突出部１２及び放射状リブ１３は上蓋１０Ａと一体成形されたものであることが好ましいが、これらはそれぞれ上蓋１０Ａと別体に成形され、接着又は嵌着されたものであっても良い。
【００２０】
上蓋１０Ａの天面内側には、キャップ本体２０の雄ネジ凸条２３と螺合する雌ネジ凸条１４を有する環状壁１５が、環状筒１１の外側に形成されており、さらにその外側に外装壁１６が形成されている。
【００２１】
このキャップ１Ａを、ドレッシング等の内容液が収容された容器本体３０に取り付け、上蓋１０Ａをキャップ本体２０に螺合装着した状態で容器本体３０を振とうすると、上蓋１０Ａの突出部１２に内容液が付着するが、この内容液は、容器本体３０を正立させると、垂下している突出部１２の滑らかな表面をつたい、下方に流れ、速やかに容器本体３０内に戻る。したがって、振とう後に上蓋１０Ａをキャップ本体２０から外したときに、上蓋１０Ａに付着している内容液の液量を極力低減させることができる。
【００２２】
なお、上蓋１０Ａをキャップ本体２０に螺合装着した状態で、環状筒１１は注出筒２１の上端部内壁に液密に圧接されているので、容器本体３０の振とうにより、内容液が環状筒１１の外側にまで付着することはない。また、上蓋１０Ａはキャップ本体２０に螺合装着されているので、容器本体３０を激しく振とうしても、上蓋１０Ａが不用意に外れてしまうことはない。
【００２３】
振とう後、上蓋１０Ａを外すと、環状筒１１の内側に僅かではあるが内容液が付着しているが、この内容液は、環状筒１１と突出部１２との間に設けられた放射状リブの形成域に保持されている。したがって、上蓋１０Ａを外したときの上蓋外壁への内容液の液だれを防止できる。
【００２４】
次に、上蓋１０Ａを再度キャップ本体２０に螺合装着すると、放射状リブ１３の形成領域に保持されていた内容液は、突出部１２の表面をつたって下方に流れ、容器本体３０内に戻る。したがって、上蓋１０Ａを再度装着したときの容器本体外壁への内容液の液だれも防止できる。
【００２５】
本発明のキャップは、種々の態様をとることができる。例えば、図３の上蓋１０Ｂを備えた図４のキャップ１Ｂは、上述のキャップ１Ａの半球状の突出部１２に代えて、円錐状の突出部１２を設けたものであり、図５の上蓋１０Ｃを備えた図６のキャップ１Ｃは、上述のキャップ１Ａの半球状の突出部１２に代えて、角錐状の突出部１２を設けたものである。
【００２６】
このように錐形状の突出部１２を設けると、突出部１２に付着した内容液は、容器本体３０を正立させることにより、一層速やかに容器本体３０内に戻るようになる。
【００２７】
図７の上蓋１０Ｄを備えた図８のキャップ１Ｄは、上述のキャップ１Ａの半球状の突出部１２の頂部に液だれ誘導突起１７を設けたものである。液だれ誘導突起１７を設けると、容器本体３０を正立させることにより、突出部１２の表面に付着した内容液は突出部１２の表面をつたって液だれ誘導突起１７に集中するので、内容液の容器本体３０内への戻しをより促進させることができる。
【００２８】
図９の上蓋１０Ｅを備えた図１０のキャップ１Ｅは、上述のキャップ１Ａの半球状の突出部１２の頂部に液だれ誘導突起１７を設ける場合に、上蓋１０Ｅをキャップ本体２０に装着した状態で、液だれ誘導突起１７の先端部を、キャップ本体２０の上面に開口している開口部２２の縁辺に接触させたものである。このように、液だれ誘導突起１７を開口部２２の縁辺に接触させると、突出部１２に付着している内容液の容器本体３０内への戻しを、さらに促進させることができる。
【００２９】
なお、本発明のキャップにおいて、上蓋の外側は種々の形状をとることができ、例えば、前述のキャップ１Ａ〜１Ｄのように、上蓋の上面外側を、突出部１２の形成に応じて凹ませてもよく、図１０のキャップ１Ｅのように上蓋１０Ｅの上面外側を平坦に形成してもよい。
【００３０】
図１１のキャップ１Ｆは、図８のキャップ１Ｄにおいて、キャップ本体２０の開口部２２を、プルアップ２４の付いた切取蓋２５で塞ぎ、ユーザーが内容液を最初に使用する際に、開口部２２が開くようにしたものである。このような切取蓋２５は、液だれ誘導突起１７のないキャップ１Ａ〜１Ｃのキャップ本体２０に設けてもよい。
【産業上の利用可能性】
【００３１】
本発明のキャップは、ドレッシング、ソース、タレ、食用油等の液状物を収容する容器のキャップとして有用である。
【図面の簡単な説明】
【００３２】
【図１】上蓋の部分切欠斜視図（ａ）と底面図（ｂ）である。
【図２】容器本体に取り付けたキャップの断面図である。
【図３】上蓋の部分切欠斜視図である。
【図４】容器本体に取り付けたキャップの断面図である。
【図５】上蓋の部分切欠斜視図である。
【図６】容器本体に取り付けたキャップの断面図である。
【図７】上蓋の部分切欠斜視図である。
【図８】容器本体に取り付けたキャップの断面図である。
【図９】上蓋の部分切欠斜視図である。
【図１０】容器本体に取り付けたキャップの断面図である。
【図１１】容器本体に取り付けたキャップの断面図である。
【符号の説明】
【００３３】
１Ａ、１Ｂ、１Ｃ、１Ｄ、１Ｅ、１Ｆ    キャップ
１０Ａ、１０Ｂ、１０Ｃ、１０Ｄ、１０Ｅ    上蓋
１１      環状筒
１２      突出部
１３      放射状リブ
１４      雌ネジ凸条
１５      環状壁
１６      外装壁
１７      液だれ誘導突起
２０      キャップ本体
２１      注出筒
２２      開口部
２３      雄ネジ凸条
２４      プルアップ
２５      切取蓋
３０      容器本体
３１      口部
【図１】
2007145353.tif 000003
【図２】
2007145353.tif 000004
【図３】
2007145353.tif 000005
【図４】
2007145353.tif 000006
【図５】
2007145353.tif 000007
【図６】
2007145353.tif 000008
【図７】
2007145353.tif 000009
【図８】
2007145353.tif 000010
【図９】
2007145353.tif 000011
【図１０】
2007145353.tif 000012
【図１１】
2007145353.tif 000013